(57)【特許請求の範囲】
【請求項１】
前後方向に所定間隔を置いて配列された適数の主骨体と、主骨体の下部に高さ調整可能に設けられて接地面に接地される座体と、隣接する前後の主骨体間に位置する設置面に設置されて所定の重量を備えた錘体と、錘体と主骨体の上部とを連結する索条と、座体を接地面に固定するアンカと、アンカと主骨体の上部とを連結する第二索条と、座体に設けられてアンカから主骨体の上部に向かう第二索条を略水平方向を経て略垂直方向へ方向転換する案内体と、を備えていることを特徴とするテントフレーム。
【請求項２】
前後方向に所定間隔を置いて配列された適数の主骨体と、主骨体の下部に高さ調整可能に設けられて接地面に接地される座体と、隣接する前後の主骨体間に位置する設置面に設置されて所定の重量を備えた錘体と、錘体と主骨体の上部とを連結する索条と、座体の一部と主骨体の上部とを連結する第二索条と、座体に設けられて前記座体の一部から主骨体の上部に向かう第二索条を略水平方向を経て略垂直方向へ方向転換する案内体と、を備えていることを特徴とするテントフレーム。
【請求項３】
前後方向に所定間隔を置いて配列された適数の主骨体と、主骨体の下部に高さ調整可能に設けられて接地面に接地される座体と、座体を接地面に固定するアンカと、アンカと主骨体の上部とを連結する第二索条と、座体に設けられてアンカから主骨体の上部に向かう第二索条を略水平方向を経て略垂直方向へ方向転換する案内体と、を備えていることを特徴とするテントフレーム。
【請求項４】
前後方向に所定間隔を置いて配列された適数の主骨体と、主骨体の下部に高さ調整可能に設けられて接地面に接地される座体と、座体の一部と主骨体の上部とを連結する第二索条と、座体に設けられて前記座体の一部から主骨体の上部に向かう第二索条を略水平方向を経て略垂直方向へ方向転換する案内体と、を備えていることを特徴とするテントフレーム。
【発明の詳細な説明】
【技術分野】
【０００１】
本発明は、例えば大型倉庫や建築現場の仮囲い等として用いられるテントハウスを構成するテントフレームの改良に関する。
【背景技術】
【０００２】
従来、この種のテントフレームとしては、例えば特許文献１に記載されたものや特許文献２に記載されたものが知られている。
前者のものは、基本的には、前後方向に所定間隔を置いて配列された適数の主骨体と、主骨体の下部に高さ調整可能に設けられて接地面に接地される座体と、から構成されている。
後者のものは、基本的には、前後方向に所定間隔を置いて配列された適数の主骨体と、主骨体の下部に高さ調整可能に設けられた座体と、座体の下部に設けられて接地面に接地される基台と、基台に対して主骨体を起立固定する為の緊張手段と、から構成されている。
【０００３】
【特許文献１】特許第３４５５９３６号公報
【特許文献１】特開２００６−１７７０１４号公報
【発明の開示】
【発明が解決しようとする課題】
【０００４】
ところが、前者のものは、その自重に依り接地面に鎮座され、必要に応じて座体がアンカに依り接地面に固定されるだけであったので、強風等の大きな外力が作用した場合には、転倒する危険性があった。
他方、後者のものは、基台を備えているので、これがウエイト（錘）としてある程度機能するものの、元々ウエイトとして機能させるべく設計されていなかったので、前者のものと同様に、強風等の大きな外力が作用した場合には、転倒する危険性があった。
【０００５】
本発明は、叙上の問題点に鑑み、これを解消する為に創案されたもので、その課題とする処は、強風等の大きな外力が作用しても、転倒する危険性がない様にしたテントフレームを提供するにある。
【課題を解決するための手段】
【０００６】
本発明のテントフレームは、基本的には、前後方向に所定間隔を置いて配列された適数の主骨体と、主骨体の下部に高さ調整可能に設けられて接地面に接地される座体と、隣接する前後の主骨体間に位置する接地面に接地されて所定の重量を備えた錘体と、錘体と主骨体の上部とを連結する索条と、から構成した事に特徴が存する。
【０００７】
座体が接地面に接地されると共に、座体の上に主骨体が樹立される。錘体が隣接する前後の主骨体間に位置する接地面に接地されると共に、錘体と主骨体の上部が索条に依り連結される。
所定の重量を備えた錘体を設けると共に、これと主骨体の上部とを索条に依り連結したので、テントフレームに強風等の大きな外力が作用しても、これが転倒したり、横滑りしたりする事がない。
主骨体に対して座体を調整移動させると、接地面に対して主骨体の高さを調整する事ができる。
錘体が隣接する前後の主骨体間に設けられていると共に、索条が錘体と主骨体の上部との間に設けられているので、これらが邪魔になる事がない。その結果、テントフレーム内を有効に活用する事ができる。
【０００８】
座体を接地面に固定するアンカと、アンカと主骨体の上部とを連結する第二索条と、座体に設けられてアンカから主骨体の上部に向かう第二索条を略水平方向を経て略垂直方向へ方向転換する案内体とを備えているのが好ましい。この様にすれば、第二索条に依り主骨体の樹立が確保されると共に、座体には案内体を備えているので、アンカが第二索条に依り常に水平に引っ張られて抜ける心配がない。
【０００９】
第二索条は、座体の一部と主骨体の上部とを連結するものであっても良い。この様にすれば、第二索条の一端がアンカに止結されていないので、これが抜ける惧れがない。
【００１０】
索条及び第二索条は、張力を調整する張力調整手段を備えているのが好ましい。この様にすれば、索条及び第二索条の張力を容易に変更できるので、主骨体を迅速且つ適正に樹立させる事ができる。
【発明の効果】
【００１１】
本発明に依れば、次の様な優れた効果を奏する事ができる。
（１）  主骨体、座体、錘体、索条とで構成し、とりわけ隣接する前後の主骨体間に位置する接地面に接地されて所定の重量を備えた錘体と、錘体と主骨体の上部とを連結する索条とを設けたので、強風等の大きな外力が作用しても、転倒する危険性がない。
（２）  錘体は、隣接する前後の主骨体間に設けられていると共に、索条は、錘体と主骨体の上部との間に設けられているので、これらが邪魔になる事がない。その結果、テントフレーム内を有効に活用する事ができる。
【発明を実施するための最良の形態】
【００１２】
以下、本発明の実施の形態を、図面に基づいて説明する。
図１は、本発明のテントフレームを示す一部を省略した正面図。図２は、図１の側面図。図３は、図１の横断平面図。図４は、第二索条の取付状態を示す要部正面図。図５は、第二索条の他の取付状態を示す図４と同様図である。尚、以下の説明に於て、前後方向とは、テントフレームの奥行方向（図３に於て上下方向）を言い、左右方向とは、テントフレームの幅方向（図３に於て左右方向）を言う事にする。
【００１３】
テントフレーム１は、主骨体２、座体３、錘体４、索条５とからその主要部が構成されて居り、テントハウスに適用される。
テントハウスは、接地面Ａに設置されるテントフレーム１と、図略しているが、これの外側に張られるテントシート（膜体）とから構成されている。
接地面Ａは、コンクリートやアスファルト等で舗装されて比較的強硬で平滑にされている。
【００１４】
主骨体２は、前後方向に所定間隔を置いて配列された適数のもので、この例では、直立した支柱６と、これの上部に着脱可能に連結されてこれから斜め上方に延出する屋根骨７とを備えている。
支柱６は、左右の縦管８と、これらを連結する適数の横材９及び適数の筋違材１０とを備えている。
屋根骨７は、上下の斜管１１と、これらを連結する適数の縦管１２及び適数の筋違管１３とを備えている。
而して、主骨体２は、前後方向に所定の間隔を置いて適数だけ配列されて居り、前後方向に隣接する主骨体２間には、図略しているが、適数の連結体（筋違体や桁体）が着脱可能に設けられている。従って、テントフレーム１は、この連結体を包含している。
【００１５】
座体３は、主骨体２の下部に高さ調整可能に設けられたもので、この例では、スクリュベース（ジャッキベース）にしてあり、主骨体２の支柱６の下部に設けられた左右のものにしてあり、夫々平面略正方形で板状を呈する座板１４と、これに植設されて上部が支柱６の縦管８に着脱可能に挿入される螺子棒１５と、これに螺合されて支柱６の縦管８の下面に当合されるハンドルナット１６と、支柱６の縦管８に螺設されて螺子棒１５を抜止めする抜止めボルト１７と、座板１４の四隅に穿設された取付孔１８とを備えている。
而して、座板１４は、取付孔１８に杭やアンカボルト等のアンカ１９が挿通されて接地面Ａ内に打設される事に依り接地面Ａに固定される。
【００１６】
錘体４は、隣接する前後の主骨体２間に位置する接地面Ａに接地されて所定の重量を備えたもので、この例では、直方体状を呈して各主骨体２の設置領域に収まる大きさを備えて居り、金属製で箱形を為す外殻２０と、これの内部に充填されたコンクリート２１と、外殻２０の上面に付設された適数（三つ）のアイボルト等の吊具２２とを備えている。
【００１７】
索条５は、錘体４と主骨体２の上部とを連結するもので、この例では、ワイヤロープにしてあり、一端が錘体４の吊具２２に止結されていると共に、他端が主骨体２の屋根骨７の基端部に設けたアイボルト等の止結具２３に止結されている。
【００１８】
而して、テントフレーム１に於て、主骨体２の近傍に錘体４が設置されていない場合や設置できない場合は、図４に示す如く、座体３を接地面Ａに固定するアンカ１９と、アンカ１９と主骨体２の上部とを連結する第二索条２４と、座体３に設けられてアンカ１９から主骨体２の上部に向かう第二索条２４を略水平方向を経て略垂直方向へ方向転換する案内体２５とが設けられる。或は、図５に示す如く、座体を接地面に固定するアンカ１９と、座体３の一部と主骨体２の上部とを連結する第二索条２４と、座体３に設けられて座体３の一部から主骨体２の上部に向かう第二索条２４を略水平方向を経て略垂直方向へ方向転換する案内体２５とが設けられる。
【００１９】
アンカ１９は、座体３に呼応して左右に設けられて居り、図４では、環状頭部を備えた杭にしてあり、夫々両座体３の左右外側に位置する取付孔１８に挿通されると共に、左右のものが下方に行くに連れて左右内側に向う様に、つまり略Ｖ型を為す様に所定角度（略１２度）だけ傾斜されて接地面Ａ内に打設されている。図５では、アンカボルトにしてある。
【００２０】
第二索条２４は、索条５と同様にワイヤロープにしてあり、図４では、一端がアンカ１９の環状頭部に挿通されて止結されていると共に、他端が主骨体２の屋根骨７の基端部に設けたアイボルト等の止結具（図示せず）に止結されている。図５では、一端が座体３の螺子棒１５に掛渡されて止結されていると共に、他端が主骨体２の屋根骨７の基端部に設けたアイボルト等の止結具（図示せず）に止結されている。
【００２１】
案内体２５は、ベラカン又はビラカンと通称される金具が用いられて居り、平面略Ｄ型を呈するリングと、平板を二つ折りにされてリングを回動可能に支持する取付板とを備えている。そして、案内体２５は、アンカ１９とは反対側に位置する座体３の座板１４の隅部に溶接等に依り固定されて居り、取付板に対してリングが水平軸廻りに俯仰回動できる様になっている。
【００２２】
次に、この様な構成に基づいてその作用を述解する。
座体３が接地面Ａに接地されると共に、座体３の上に主骨体２が樹立される。錘体４が隣接する前後の主骨体２間に位置する接地面Ａに接地されると共に、錘体３と主骨体２の上部が索条５に依り連結される。
所定の重量を備えた錘体４を設けると共に、これと主骨体２の上部とを索条５に依り連結したので、テントフレーム１に強風等の大きな外力が作用しても、これが転倒したり、横滑りしたりする事がない。
【００２３】
座体３の抜止めボルト１７を緩めると共に、ハンドルナット１６を回動させた後に再び抜止めボルト１７を締め付けると、接地面Ａに対して主骨体２の高さを調整する事ができる。この為に、テントフレーム１の奥行方向（前後方向）に複数配置された主骨体２の高さを容易に揃える事ができる。
錘体４が隣接する前後の主骨体２間に設けられていると共に、索条５が錘体４と主骨体２の上部との間に設けられて居り、錘体４と索条５が主骨体２の設置領域から大きくはみ出る事がないので、これらが邪魔になる事がない。その結果、テントフレーム１内を有効に活用する事ができる。
【００２４】
主骨体２の近傍に錘体４が設置されていない場合や設置できない場合は、一端がアンカ１９又は座体３の螺子棒１５に止結されていると共に、他端が主骨体２の屋根骨７の基端部に止結された第二索条２４を設けたので、主骨体２の樹立が確保される。
座体３には、案内体２５が設けられているので、アンカ１９や座体３の螺子棒１５が第二索条２４に依り常に水平に引っ張られて抜ける心配がない。
【００２５】
尚、主骨体２は、先の例では、支柱６と屋根骨７が着脱可能に連結されるものであったが、これに限らず、例えばこれらが一体的なものでも良い。
座体３は、先の例では、ジャッキベースを用いたが、これに限らず、例えば他の構造のものを用いても良い。
索条５及び第二索条２４は、先の例では、ワイヤロープであったが、これに限らず、例えばチェーン等でも良い。
索条５及び第二索条２４は、先の例では、錘体４と主骨体２の屋根骨７の基端部との間に介設したが、これに限らず、例えば錘体４と主骨体２の支柱６の上部との間に介設しても良い。
索条５及び第二索条２４は、先の例では、張力を調整する手段を備えていなかったが、これに限らず、例えばターンバックル等の張力調整手段を備えていても良い。張力調整手段は、例えば索条の途中に介設したり、索条と錘体との間に介設する事ができる。
案内体２５は、先の例では、ベラカン又はビラカンと通称される金具を用いたが、これに限らず、例えばプーリ等を用いても良い。
【図面の簡単な説明】
【００２６】
【図１】本発明のテントフレームを示す一部を省略した正面図。
【図２】図１の側面図。
【図３】図１の横断平面図。
【図４】第二索条の取付状態を示す要部正面図。
【図５】第二索条の他の取付状態を示す図４と同様図。
【符号の説明】
【００２７】
１…テントフレーム、２…主骨体、３…座体、４…錘体、５…索条、６…支柱、７…屋根骨、８…縦管、９…横材、１０…筋違材、１１…斜管、１２…縦管、１３…筋違管、１４…座板、１５…螺子棒、１６…ハンドルナット、１７…抜止めボルト、１８…取付孔、１９…アンカ、２０…外殻、２１…コンクリート、２２…吊具、２３…止結具、２４…第二索条、２５…案内体、Ａ…接地面。
【図１】
0004881847.tif 000002
【図２】
0004881847.tif 000003
【図３】
0004881847.tif 000004
【図４】
0004881847.tif 000005
【図５】
0004881847.tif 000006